(57)【要約】【課題】演出用の回転灯を備える演出用装飾体において、電球交換に要する作業工程を簡素化し、メンテナンスを行いやすいとともに、機種変更の際にも臨機応変に対処可能であって、リサイクル性、経済性に優れた演出用装飾体を提供する。【解決手段】ベース部材５０を遊技機Ｓの前扉３に着脱自在に形成し、ベース部材５０の正面側を覆うカバー部材５８は、覆い体９２を取り外すことによりベース部材５０を前扉３に固定したまま取り外し可能であり、覆い体９２及びカバー部材５８をベース部材５０から取り外した状態で、回転灯装置６０の防風部６３及び光源６５を回転灯装置６０の本体部６１から取り外し可能に形成した。【選択図】図８
2008029457.tif 000002
【特許請求の範囲】
【請求項１】
筐体と、筐体の正面開口を開閉自在かつ閉塞可能な前扉を少なくとも備える遊技機に取り付けられる演出用装飾体であって、
少なくとも正面側が開放又は開口する箱状のベース部材と、
このベース部材の内部に形成された空間部に配置される回転灯装置と、
前記ベース部材に固定され、前記空間部を正面側から覆うとともに、前記回転灯装置を正面側から視認可能とする透光性を有するカバー部材と、
前記カバー部材の一部を覆う覆い体とを少なくとも備え、
前記回転灯装置は、光源及び光源の周囲を旋回可能に設けられた回転反射板を備え、この回転反射板を旋回させるための駆動装置を内蔵する本体部に、前記光源及び回転反射板を内部に位置させて光源が発する照射光を外部に照射可能な透光性を有する防風部を着脱自在に取り付けて成り、
前記ベース部材は、前記回転灯装置の本体部を固定するための回転灯固定部と、前記カバー部材を固定するためのカバー固定部と、前記覆い体を固定するための覆い体固定部とを少なくとも備え、前記回転灯固定部に前記防風部を取り付けた回転灯装置の本体部を固定し、前記カバー固定部及び覆い体固定部に前記カバー部材及び覆い体を固定した状態で、前記遊技機の前扉に設けられた装飾体固定部に着脱自在に取り付け可能であり、
前記覆い体は、前記覆い体固定部に固定したときに前記カバー固定部を覆い隠すように形成されているとともに、前記前扉に設けられた貫通開口を通して前扉の裏側から前記覆い体固定部の固定を解除可能であり、
前記ベース部材を前記前扉に固定したまま、前記覆い体及び前記カバー部材を前記ベース部材から取り外し、前記回転灯装置の防風部及び光源を前記本体部から取り外し可能に形成されていることを特徴とする演出用装飾体。
【請求項２】
前記覆い体は、前記ベース部材に設けられた発光体を覆う発光体カバーであることを特徴とする請求項１記載の演出用装飾体。
【発明の詳細な説明】
【技術分野】
【０００１】
この発明は、遊技機の正面に装着される演出用デバイスを搭載した装飾体に関するものである。
【背景技術】
【０００２】
従来より、スロットマシンなどの遊技機においては、前扉の上部にアーチランプや液晶などが取り付けられており、これらを用いて種々の演出が行われるように形成されている。そして、特許文献１に示すように、遊技機の演出用デバイスとして回転灯装置を用いたものが知られている。
一方、特許文献２に示すように、遊技機のリサイクルを効率よく行う観点から、リサイクル可能部品とリサイクル不可部品を遊技機の機種やシリーズに応じてブロック分けし、これらをブロック単位で扉本体から着脱自在に形成した遊技機が考案されている。
【特許文献１】特開２００４−７３３２５号公報
【特許文献２】特開２００５−１５２４８３号公報
【発明の開示】
【発明が解決しようとする課題】
【０００３】
しかし、回転灯装置を有する遊技機においては、光源として使用している電球が切れた場合には、回転灯装置自体を遊技機から取り外さなければならず、分解作業に多くの行程を要していた。あるいは、電球が切れた回転灯装置を装置ごと交換していたため、メンテナンスにコストがかかるという問題点があった。
そこで、本願発明は、演出用の回転灯を備える演出用装飾体において、電球交換に要する作業工程を簡素化し、メンテナンスを行いやすいとともに、機種変更の際にも臨機応変に対処可能であって、リサイクル性、経済性に優れた演出用装飾体を提供することを目的とする。
【課題を解決するための手段】
【０００４】
各請求項に記載された発明は、上記した各目的を達成するためになされたものであり、本発明の特徴点を図面に示した発明の実施の形態を用いて、以下に説明する。
なお、括弧内の符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、筐体(1)と、筐体(1)の正面開口（開口部11）を開閉自在かつ閉塞可能な前扉(3)を少なくとも備える遊技機（スロットマシンS）に取り付けられる演出用装飾体（上扉装飾体6）である。そしてこの演出用装飾体(6)は、少なくとも正面側が開放又は開口する箱状のベース部材（本体ベース50）と、このベース部材(50)の内部に形成された空間部(51)に配置される回転灯装置（回転灯ユニット60）と、前記ベース部材(50)に固定され、前記空間部(51)を正面側から覆うとともに、前記回転灯装置(60)を正面側から視認可能とする透光性を有するカバー部材（正面カバー58）と、前記カバー部材(58)の一部を覆う覆い体（ランプカバー92）とを少なくとも備えている。
【０００５】
本発明に係る演出用装飾体(6)は、遊技場に設置される遊技機、例えばスロットマシンやそれに類する遊技機に使用されるものである。
ここで、前記遊技機(S)は、筐体(1)及び前扉(3)のほかに、筐体(1)の内部にリールユニット(20)や制御装置を備えていてもよい。また、前記前扉(3)は、筐体(1)にヒンジ(19)を介して回動自在に取り付けられる板状の扉とすることができ、上扉(30)と下扉(40)のように複数に分割されていてもよい。そして、演出用装飾体(6)は、上扉(30)又は下扉(40)のいずれかに装着されるものであってもよい。
前記ベース部材(50)は、例えば中空の方形箱形部材とすることができ、少なくとも正面側が開放又は開口している。「正面側が開放又は開口」するとは、ベース部材(50)の正面側が塞がれていない意味であり、ベース部材(50)の正面板に開口部が設けられている場合や、ベース部材(50)に正面板が無い場合も含むものである。
【０００６】
前記カバー部材(58)は、ベース部材(50)に着脱自在に取り付けられ、ベース部材(50)の空間部(51)を前面から覆うことができるものであり、ベース部材(50)の正面側だけでなく側面側を覆うことができるように形成されていてもよい。カバー部材(58)は、例えば透明なアクリル板などにより形成することができるが、透光性を有する物であれば透明でなくてもよい。
前記「覆い体」は、例えば方形箱形のベース部材(50)の隅角部に設けられた着色カバーとすることができ、内部に発光体(91)を備えた電飾体(90)の一部や、飾り部の一部を兼ねていてもよい。
【０００７】
また、前記回転灯装置(60)は、光源（電球65）及び光源(65)の周囲を旋回可能に設けられた回転反射板(64)を備え、この回転反射板(64)を旋回させるための駆動装置（駆動モータ68）を内蔵する本体部（本体ケース61）に、前記光源(65)及び回転反射板(64)を内部に位置させて光源(65)が発する照射光を外部に照射可能な透光性を有する防風部（レンズ63）を着脱自在に取り付けて成るものである。
ここで、回転灯装置(60)としては、前記駆動装置(68)のモータ軸の回転を回転反射板(64)に伝達するための伝達手段を有していてもよい。前記防風部(63)は、椀型の着色カバーとすることができ、例えば本体部(61)に形成されたネジ部に螺合させて取り付け取り外しができるようになっているものとすることができる。あるいは、本体部(61)に連結されたつなぎ部(62)を介して、防風部(63)が本体部(61)に着脱自在となっていてもよい。なお、前記「光源」は、照射光を発する発光体であれば、電球(65)には限られない。
【０００８】
さらに、前記ベース部材(50)は、前記回転灯装置(60)の本体部(61)を固定するための回転灯固定部(59C)と、前記カバー部材(58)を固定するためのカバー固定部（正面カバー固定部57）と、前記覆い体(92)を固定するための覆い体固定部（ランプカバー固定部56）とを少なくとも備え、前記回転灯固定部(59C)に前記防風部(63)を取り付けた本体部(61)を固定し、前記カバー固定部(57)及び覆い体固定部(56)に前記カバー部材(58)及び覆い体(92)を固定した状態で、前記遊技機(S)の前扉(3)に設けられた装飾体固定部(32A,32B)に着脱自在に取り付け可能である。
また、前記覆い体(92)は、前記覆い体固定部(56)に固定したときに前記カバー固定部(57)を覆い隠すように形成されているとともに、前記前扉(3)に設けられた貫通開口(32C)を通して前扉(3)の裏側から前記覆い体固定部(56)の固定を解除可能である。そして、前記ベース部材(50)を前記前扉(3)に固定したまま、前記覆い体(92)及び前記カバー部材(58)を前記ベース部材(50)から取り外し、前記回転灯装置(60)の防風部(63)及び光源(65)を前記本体部(61)から取り外し可能に形成されていることを特徴とする。
【０００９】
ここで、回転灯固定部(59C)、カバー固定部(57)及び覆い体固定部(56)は、ネジ孔を有する突起や固定用のネジ等を挿通可能な貫通孔とすることができ、前記前記回転灯装置(60)の本体部(61)やカバー部材(58)及び覆い体(92)にも、回転灯固定部(59C)、カバー固定部(57)及び覆い体固定部(56)と固定可能な孔やネジ孔を設けることができる。
また、前記装飾体固定部(32A,32B)は、遊技機(S)の前扉(3)に設けられた、固定用のネジ等を挿通可能な貫通孔とすることができ、ベース部材(50)の背面側にも、装飾体固定部(32A,32B)と固定可能な孔やネジ孔を設けることができる。そして、ベース部材(50)の孔やネジ孔けられたネジ孔と前扉(3)に設けられた貫通孔を合致させ、前扉(3)の裏側（筐体(1)の正面開口(11)を閉じたとき内側となる面）からネジで固定するものとすることができる。
【００１０】
なお、「着脱自在」とは、演出用装飾体(6)を分解することなく、例えばネジ数本を取り外すだけで、本体ごとごっそりと遊技機(S)から分離できることを意味するものである。また、ベース部材(50)には、上記以外の構成部品を固定可能であってもよく、上記以外の構成部品固定部を有していてもよい。
またここで、覆い体(92)が「カバー固定部(57)を覆い隠す」とは、覆い体(92)の裏側にカバー固定部(57)が隠れて、表側からはカバー固定部(57)に接触不能となることである。そして覆い体(92)は、カバー部材(58)をベース部材(50)に固定した後に、ベース部材(50)に取り付けられるものである。このように形成されているため、覆い体(92)を固定したままではカバー固定部(57)の固定を解除できず、カバー部材(58)を取り外すことができないようになっている。
【００１１】
また、前記前扉(3)の「貫通開口」とは、穴やスリットなどを含み、前扉(3)の裏側から表側にドライバなどの工具を差し込み可能なものであればその形状は問わない。そして、「覆い体固定部(56)の固定を解除」とは、覆い体固定部(56)に覆い体(92)を固定しているネジを外すことを含むものである。
（作用）
本発明において、回転灯装置の光源(65)を取り替える場合には、まず遊技機の前扉(3)を開いて、前扉(3)の裏面側から覆い体(92)と覆い体固定部(56)の固定を解除し、覆い体(92)をベース部材(50)から取り外す。そうすると、ベース部材(50)の表面には、カバー固定部(57)が露出するので、カバー部材(58)とカバー固定部(57)の固定を解除し、カバー部材(58)をベース部材(50)から取り外す。これにより、ベース部材(50)の空間部(51)の正面側が開放され、空間部(51)の内部に設置されている回転灯装置(60)の防風部(63)を取り外し操作することができるようになる。防風部(63)を取り外し後、光源(65)を取り外して、新しい光源(65)と交換することができる。
【００１２】
本発明によれば、演出用装飾体(6)自体が遊技機の前扉(3)に着脱自在となっているので、機種交換の際には演出用装飾体(6)のみを取り外して、新機種に対応した演出用装飾体(6)を取り付ければよく、筐体や前扉を交換する必要がない。
また、回転灯装置(60)の光源(65)が切れた場合には、光源(65)のみを取り替えられるので交換費用を安価にすることができ、さらに、回転灯装置(60)の光源(65)を取り替える場合には、演出用装飾体(6)を前扉(3)に固定したままで交換作業ができるため、作業工程を大幅に縮小できるとともに、交換作業を容易にすることができる。
（請求項２）
（特徴点）
請求項２記載の発明は、上記した請求項１記載の発明の特徴点に加え、次の点を特徴とする。
【００１３】
すなわち、請求項２記載の発明は、前記覆い体(92)は、前記ベース部材(50)に設けられた発光体(91)を覆う発光体カバーであることを特徴とする。
本発明は、覆い体(92)が、演出用装飾体(6)の電飾体(90)の一部品を兼ねるようにしたものである。前記「発光体」は、電球やＬＥＤとすることができる。
本発明によれば、構成部品の有効利用ができる。
【発明の効果】
【００１４】
本発明は、以上のように構成されているので、演出用の回転灯を備える演出用装飾体において、電球交換に要する作業工程が簡素化され、メンテナンスを行いやすいとともに、機種変更の際にも臨機応変に対処可能であって、リサイクル性、経済性に優れた演出用装飾体を提供することができる。
【発明を実施するための最良の形態】
【００１５】
本発明を実施するための最良の形態を、遊技機としてスロットマシンを例に、図面に基づき説明する。
（図面の説明）
図１乃至図１９は、本発明の実施の形態を示すものである。
図１及び図２はスロットマシンの斜視図、図３乃至図１０は上扉装飾体を表す図、図１１乃至図１４は回転灯ユニットを表す図、図１５及び図１６はスピーカボックスを表す図、図１７乃至図１９はバックライトユニットを表す図である。
本実施の形態におけるスロットマシンＳは、図２に示すように、大きく分けて、正面側に開口部11を有する筐体１、筐体１内部に着脱自在に設けられる交換ユニット２、筐体１の開口部11を開閉可能に塞ぐ前扉３とから構成されている。そして、この前扉３は、筐体１の開口上部13を開閉可能に塞ぐ上扉30、筐体１の開口下部14を開閉可能に塞ぐ下扉40とに分割されている。
【００１６】
（筐体１）
筐体１は、図２に示すように、底板15及び側板16及び天板17及び裏板18からなる前面（遊技者と対峙する正面）側に開口する箱体であり、高さ方向略中央部には、二つの側板16の間に水平方向に中板12が設けられている。そして、底板15には電源ユニット４が固定され、ホッパーユニット５が設置されている。
ここで、電源ユニット４は、特に図示しないが電源装置が内装されていると共に、ホール管理者が種々の設定を行うためのスイッチ等を有している。ホッパーユニット５はメダルを貯留するとともに入賞時等にはメダルを払い出す払い出し装置である。電源ユニット４及びホッパーユニット５は、いわゆる「面替え」に際し、必ずしも交換する必要のないものであり、遊技機交換時には設置されたままにしておけるようになっているものである。
【００１７】
また、正面左側の側板16には、前記上扉30及び下扉40を係合させ、回転自在に支持するためのヒンジ19が、上下方向に間隔をおいて二つずつ設けられている。
（交換ユニット２）
交換ユニット２は、種々の部品を設置あるいは固定するための支持体21と、この支持体21に固定されたリールユニット20及び基板ユニット24とから形成されている。
支持体21は、方形状の金属枠からなり、リールユニット20及び基板ユニット24を筐体内部に着脱自在に固定するとともに、リールユニット20及び基板ユニット24を一体的に取り扱い可能とするものである。なお、支持体21は、他の構成部品（例えば演出用の表示装置）を固定設置可能であってもかまわない。
【００１８】
ここで、リールユニット20は、スロットマシンＳの主たる遊技装置であって、周囲に複数の図柄を表示した３個の回転リール23と、特に図示しないが、各回転リール23を回転させるための駆動モータを有している。また、前記基板ユニット24は、基板ケース内に種々の電子部品を搭載した制御基板を収納したものであり、遊技及びスロットマシンＳの作動を制御するための主基板24Aと、各種演出を行うための副基板24Bを備えている。
交換ユニット２は、筐体１の中板12の上に乗せ、開口上部13内部に収納されるものである。そして、筐体１の側板16の内側に設けられたクリップなどの固定装置（図示せず）によりに固定される。
【００１９】
（上扉30）
上扉30は、筐体１のヒンジ19に回転自在に軸支された板状の扉であり、図１に示すように、略中央部に前記回転リール23を正面側から見ることができる図柄表示窓31Aを有し、図柄表示窓31Aの上方には、演出表示を行うための上扉装飾体６が設けられている。すなわち、上扉30は、図３に示すように、上扉30の骨格となる扉枠32に、前記図柄表示窓31Aを有する上パネル31が固定されているとともに、扉枠32の正面側に設けられた装飾体固定部32A,32Bを介して、上扉装飾体６を着脱自在に取り付け可能な構成となっている。
ここで、装飾体固定部32A,32Bは、後述する上扉装飾体６の背面側に設けられたネジ孔を有する扉枠固定部59F,59Gと合致する貫通孔であり、扉枠32の背面側から図示しないネジでネジ止めすることにより、上扉装飾体６を固定することができるものである。
【００２０】
また、図２及び図３に示すように、扉枠32の高さ方向中央部よりやや上側の左右両端部には、音声を出力するためのスピーカ装置35が裏面側から取り付けられている。そして、扉枠32の正面側に設けられた開口部から、スピーカ装置35のスピーカコーンが正面側に向かって配置されている。
さらに、スピーカ装置35の上側には、図３に示すように、扉枠32の裏表に貫通する開口部32Cが形成されている。この開口部32Cは、上扉装飾体６を扉枠32に固定したままで、上扉装飾体６のランプカバー92を取り外すためのものである。
上扉30を閉じると、ヒンジ19の反対側に設けられたラッチ錠により自動的にロックされ、筐体１の開口上部13が密閉される。また、下扉40を解放した状態で、特に図示しないが扉枠32の下側に設けられた解除つまみを下方に引き下げることにより、上扉30のロックが解除されるようになっている。
【００２１】
（下扉40）
下扉40は、筐体１のヒンジ19に回転自在に軸支された上扉30よりも幅厚の扉であり、図１に示すように、下扉40の上部は、スロットマシンＳを作動させるためのカウンター状の操作部41となっている。また、下扉40の下部には、ホッパーユニット５から払い出されたメダルを貯めておくことができる下皿46が形成されており、下皿46と前記操作部41の間には、遊技内容その他の表示をするための下パネル47が嵌め込まれている。
前記操作部41としては、下扉40の上面右端にはメダル投入口42及び上面左側に設けられたベットスイッチ43、正面側にはスタートスイッチ44及びストップスイッチ45及び鍵穴40Aが設けられている。なお、ベットスイッチ43とは、貯留メダルをメダル投入に代えるためのものであり、スタートスイッチ44及びストップスイッチ45は、回転リール23の回転を開始及び停止させるためのものである。また、鍵穴40Aは、前扉３を解錠するためのものである。
【００２２】
なおスロットマシンＳは、主基板24Aにより行われる当選判定の抽選結果が所定の当選役に当選し、前記ストップスイッチ45の操作により当選図柄が入賞の態様となるように回転リール23を停止させることができると入賞となり、ホッパーユニット５からメダルが払い出されたり、ボーナスゲームなどの有利な遊技が開始されるようになっている。
さらに、図２に示すように、下扉40の裏面側には、前記メダル投入口42から投入されたメダルを誘導しながらメダルの正偽を判断するためのメダルセレクター48が設けられている。そして、下扉40を閉めると、ラッチ錠により自動的にロックされ、筐体１の開口下部14が密閉されるものである。また、前記鍵穴40Aに所定の鍵を差し込んで回すと、下扉40のロックが解除され、下扉40を解放することにより、上扉30のロックを解除することができるようになっている。
【００２３】
（上扉装飾体６）
次に、上扉装飾体６の詳細な構成を説明する。ここで、図４は上扉装飾体６の正面図、図５乃至図７は、図４のＡ−Ａ線断面図、Ｂ−Ｂ線断面図、Ｃ−Ｃ線断面図をそれぞれ示すものである。
上扉装飾体６は、図１及び図３に示すように、上扉30の正面上部に着脱自在に固定される演出用ブロックであって、中空箱形の本体ベース50に種々の演出用デバイスを取り付けた構造になっている。具体的には、図３に示すように、本体ベース50の正面上側中央部及び正面上側角隅部には電飾体90が、正面下側の左右にはスピーカボックス70がそれぞれ設けられている。また、本体ベース50の内部には、回転灯ユニット60が設けられ、この回転灯ユニット60の背面側には、発光面88を有するバックライトユニット80が設けられている。
【００２４】
そして、本体ベース50の正面は、透明なプラスチックにより成型した正面視略Ｙ字型の正面カバー58により覆われており、図４に示すように、この正面カバー58を通して、正面側から前記回転灯ユニット60のレンズ63及びバックライトユニット80の発光面88を見ることができるようになっている。
（本体ベース50）
本体ベース50は、図５及び図９に示すように、正面側から背面側に貫通する空間部51を有する中空の枠部材であって、上扉30の扉枠32に取り付けられる方形の固定枠50Cの上部から手前側（本体ベース50を扉枠32に取り付けたときの正面側）に張り出す庇部50Aと、固定枠50Cの下部から手前側に張り出す底部突起50Bを有している。
【００２５】
前記庇部50Aには、電飾体90を取り付けるための電飾体取り付け部55,55'が設けられている。ここで、電飾体90は、透光性のある着色カバー（ランプカバー92,93）の内部に発光体91を設けたものであり（図５参照）、発光体91を点灯・点滅させて入賞の報知その他の演出を行うためのものである。各電飾体取り付け部55,55'には、ＬＥＤ素子や電球などの発光体91が設けられているとともに、庇部50Aの中央部にある電飾体取り付け部55'にはランプカバー93が、庇部50Aの左右の角隅部にある電飾体取り付け部55にはランプカバー92が、それぞれ取り付けられるようになっている。
また、庇部50Aの左右に位置する電飾体取り付け部55には、ランプカバー92を固定するためのランプカバー固定部56と、正面カバー58を固定するための正面カバー固定部57がそれぞれ設けられている。ここで、前記ランプカバー固定部56は、図７及び図８に示すように、庇部50Aの下方に形成された貫通孔であって、背面側からネジＰを挿通させることができるものである。また、前記正面カバー固定部57は、前記ランプカバー固定部56よりも外側下方に設けられたネジ孔であって、正面側からネジＱをねじ込むことができるものである。なお、ランプカバー92と正面カバー58は、上扉装飾体６を扉枠32に装着したままで、本体ベース50から着脱自在となっているが、これについては後述する。
【００２６】
前記底部突起50Bの左右の角隅部には、スピーカボックス70を収納するためのスピーカボックス収納部53が形成されており、前記空間部51の下側中央部、すなわち二つのスピーカボックス収納部53,53の間には、下方に窪んだ凹部52が形成されている。そして、凹部52の両側、すなわち二つのスピーカボックス収納部53,53の上側は、一段高くなった段部であるステージ部54,54となっている。また、ステージ部54の上面には、開口部54Aが形成されており、この開口部54Aは、スピーカボックス70の上面75が嵌り込む形状に形成されている。そして、スピーカボックス収納部53にスピーカボックス70を収納すると、開口部54Aがスピーカボックス70の上面75によって塞がれるようになっている（図６参照）。
【００２７】
さらに、本体ベース50の背面側には、図１０に示すように、上扉装飾体６の演出用構成部品を支持固定するとともに、上扉装飾体６を上扉30に固定するための背面固定部59が設けられている。背面固定部59としては、バックライトユニット80を固定又は支持するためのバックライト固定部59A及びバックライト支持部59D、回転灯ユニット60を支持及び固定するための回転灯支持突起59B及び回転灯固定部59C、スピーカボックス70を固定するためのスピーカボックス固定部59E,59Fがそれぞれ設けられており、さらに、本体ベース50を上扉30の扉枠32に固定するための扉枠固定部59F,59Gが設けられている。ここで、前記バックライト固定部59A、回転灯固定部59C、スピーカボックス固定部59E,59F、及び扉枠固定部59F,59Gは、それぞれネジ孔を有しており、所定のネジを螺合することができるようになっているものである。
【００２８】
そして、図１４に示すように前記庇部50Aの下方に回転灯ユニット60を固定すると、図４に示すように、前記凹部52に回転灯ユニット60のレンズ63が位置するようになっており、さらに、本体ベース50の背面側からバックライトユニット80を取り付け、正面側から正面カバー58を取り付けると、空間部51が閉塞されるようになっている。
（ランプカバー92及び正面カバー58）
庇部50Aの上側隅角部に設けられるランプカバー92には、図７及び図８に示すように、背面側に突設されたカバーネジ部92aが設けられており、ランプカバー固定部56とカバーネジ部92aを合致させて、背面側からネジＰでネジ止めすることにより、本体ベース50にランプカバー92が固定されるようなっている。そして、上扉30の背面側からネジＰを外すことにより、扉枠32に本体ベース50を固定したままで、本体ベース50からランプカバー92を取り外すことができるようになっている。
【００２９】
一方、正面カバー58には、ネジ挿通孔58aが設けられており、正面カバー固定部57とネジ挿通孔58aを合致させて、正面側からネジＱでネジ止めすることにより、本体ベース50に正面カバー58が固定されるようになっている。そして、正面側からネジＱを外すことにより、本体ベース50から正面カバー58を取り外すことができるようになっている。
さらに、図７に示すように、正面カバー固定部57は、ランプカバー92を取り外さないと露出しない位置に形成してある。従って、正面カバー58を取り外す場合には、まずランプカバー92を取り外さなければならない。
（回転灯ユニット60）
回転灯ユニット60は、図４に示すように、本体ベース50の庇部50Aの下方に固定される演出用ユニットであって、図１１に示すように、本体ケース61と、つなぎ部62と、レンズ63を有している。ここで、本体ケース61は駆動モータ68その他の駆動部品を収納するためのケースであり、レンズ63は内蔵される電球65の光を透過させる断面略Ｕ字型の着色カバーである。また、つなぎ部62は、本体ケース61にレンズ63を取り付けるためのものである。そして、レンズ63の内部に配置された回転反射板64を回転させることにより、電球65の光が投射される方向を回転変位させることができるようになっている。
【００３０】
前記本体ケース61は、図１２及び図１３に示すように、底部（本体ベース50への取り付け時において下方となる側）が開口する筒体であって、底部開口の対向側の表面（本体ベース50への取り付け時において上面となる面）には、立設された板部材に貫通孔を有する位置決め部61Bが二つ並んで設けられている。また、本体ケース61の両側面（本体ベース50への取り付け時において左右となる側面）には、横方向に張り出し貫通孔を有する取り付け部61Cが設けられている。そして、前記位置決め部61Bの貫通孔には、回転灯支持突起59Bを挿入させることができ、位置決め部61Bの貫通孔に回転灯支持突起59Bを挿入させた状態で、回転灯固定部59Cのネジ孔と前記取り付け部61Cの貫通孔が合致するようになっている。
【００３１】
また、本体ケース61の内部には、図１３（Ａ）に示すように、開口部を塞ぐベースプレート61Aが嵌め込まれているとともに、ベースプレート61Aの内側（本体ケース61の筒内側）には、モータ軸の先端にモータギア68Aを有する駆動モータ68が内蔵されている。前記モータギア68Aは、前記ベースプレート61Aから外側（反駆動モータ68側）に突出しており、ベースプレート61Aの外面には、前記モータギア68Aと噛合する減速ギア68Bと、支持部材69が取り付けられている。ここで、減速ギア68Bは、図１３（Ｂ）に示すように、大歯車と小歯車が同軸に形成された二段ギアであり、減速ギア68Bの大歯車とモータギア68Aが噛合する位置に取り付けられている。また、前記支持部材69には、電球65を取り付けるためのソケット67が固定されているとともに、反射板固定部66が水平方向に回転可能に取り付けられている。
【００３２】
ここで、反射板固定部66は、回転反射板64に前記駆動モータ68の回転を伝達して回転させるためのものであり、本体ケース61側に反射板ギア66Aが形成されているとともに、反射板ギア66Aの反対面に回転反射板64を固定可能に形成されている。そして、反射板ギア66Aと前記減速ギア68Bの小歯車が噛合することにより、駆動モータ68のモータ軸の回転が伝達され、駆動モータ68の駆動に伴い回転反射板64が反射板固定部66と一体で回転するようになっている。
前記回転反射板64は、図１２に示すように、回転中心側に向く凹面を有する反射鏡64Aと、薄型円筒状の台座部64Bとから成り、図１３（Ａ）に示すように、台座部64Bを反射板固定部66に固定したときに、台座部64Bの中央に形成された丸孔64Cから、ソケット69に取り付けた電球65が突出するようになっている。そして、この電球65の外周側に前記反射鏡64Aが位置し、回転反射板64が回転することにより、反射鏡64Aが電球65を中心にして周囲を旋回するようになっている。
【００３３】
前記つなぎ部62は、図１２及び図１３（Ａ）に示すように、取り付け部62Cを介して本体ケース61に着脱自在に固定される環状部材であり、取り付け部62Cの反対側の外周には、レンズ63の内側に形成されたネジ部63Aと螺合するネジ部62Bが形成されている。また、つなぎ部62の円形の開口部62Aは、回転反射板64の台座部64Bの直径よりも大きく形成されており、つなぎ部62を本体ケース61に固定した状態で、回転反射板64が回転可能となるよう形成されている。
そして、回転灯ユニット60は、図５及び図１４に示すように、位置決め部61Bの貫通孔に回転灯支持突起59Bを貫通させて、本体ベース50に本体ケース61を仮固定した状態で、取り付け部61Cと回転灯固定部59Cを背面側からネジ止めすることにより、庇部50Aの下方に吊り下げ固定される。このようにして固定した回転灯ユニット60は、図４に示すように、つなぎ部62及び本体ケース61が庇部50Aの正面側垂下壁の後ろ側に隠れ、レンズ63のみが正面側から視認可能となる。
【００３４】
回転灯ユニット60を用いた演出の具体例としては、通常時は電球65を消灯しておくとともに回転反射板64も停止させておき、遊技中の所定時に、電球65を点灯させて回転反射板64を回転させることにより、あるいは電球65は消灯したまま回転反射板64のみを回転させることにより、当選や入賞を報知することができる。
（スピーカボックス70）
前記スピーカボックス70は、扉枠32に固定されたスピーカ装置35から出力される音声を、遊技機の正面側に向けさせるためのものであり、図６及び図９に示すように、複数の小孔が形成されたグリル面71を有しこのグリル面71の対向側（背面側）が開口する中空の本体箱72と、本体箱72の背面開口を塞ぐ背面板73とから構成されている。
【００３５】
前記本体箱72の上面75は、本体ベース50のステージ部54に形成された開口部54Aと合致するように形成されており、スピーカボックス70を、グリル面71を正面側にしてスピーカボックス収納部53に収納したとき、ステージ部54と上面75が面一になるように形成されている。このように、スピーカボックス70の上面75がステージ部54の一部を兼ねるように形成してあるので、本体ベース50の軽量化を図ることができる。
また、本体箱72の背面側には、図１５に示すように、本体箱72及び背面板73を本体ベース50に固定するための本体固定部70A及び一括固定部70Bが形成されている。本体固定部70Aは、本体箱72の背面側の一方の側端部に設けられた上面視略Ｌ字型の部材であり、横方向に張り出す板部には貫通孔が設けられている。この本体固定部70Aの貫通孔は、本体箱72をスピーカボックス収納部53に収納したとき、スピーカボックス固定部59Eのネジ孔と合致するようになっている（図１６参照）。また、一括固定部70Bは、本体箱72の背面側の前記本体固定部70Aと対向側の側端部に設けられた横方向に張り出す板状部材であり、貫通孔が設けられている。この一括固定部70Bの貫通孔は、本体箱72をスピーカボックス収納部53に収納したとき、スピーカボックス固定部59E'のネジ孔と合致するようになっている（図１６参照）。さらに、一括固定部70Bの上部には、グリル面側が肉薄になった段部であるバックライト支持部70Dが形成されている。
【００３６】
前記背板板73には、中央よりもややずれた位置に略円形の音通孔74が形成されている。音通孔74は、図６に示すように、スピーカボックス70の装着時に扉枠32に設けられたスピーカ装置35のスピーカコーンの位置と合致するように形成されており、スピーカ装置35から出力される音声が、音通孔74からスピーカボックス70の内部を経て、グリル面71に設けられた小孔から座席に座った遊技者の方向に放出されるようになっている。
さらに、背板板73の一方の側端部には、図１５（Ａ）に示すように、前記本体固定部70Aの高さ寸法と合致する凹段部73aが形成されているとともに、凹段部73aの対向側の側端部には、貫通孔を有する張り出し片73bが設けられている。この張り出し片73bの貫通孔は、本体箱72の背面開口を背板板73で塞いだときに、前記一括固定部70Bの貫通孔と合致するようになっており、このとき前記凹段部73aには本体固定部70Aが嵌り込むようになっている。
【００３７】
そして、スピーカボックス70を本体ベース50に固定する場合には、まず本体箱72をスピーカボックス収納部53に本体ベース50の背面側から収納し、本体固定部70Aとスピーカボックス固定部59Eとをネジで固定する。それから、本体箱72の凹段部73aと本体固定部70Aとを係合させ、張り出し片73bを一括固定部70Bの背面側に形成された凹部ｄ（図１６参照）に嵌入して、背板板73で背面開口を塞ぐ。しかる後に一括固定部70Bと張り出し片73bを一括して、スピーカボックス固定部59E'にネジで固定する。
（バックライトユニット80）
バックライトユニット80は、図４及び図９に示すように、回転灯ユニット60の背面側に設置される板状の演出用ユニットであって、図１７に示すように、ベースケース81と、ベースケース81内に収納される導光板82と、導光板82の表面を覆うように前記ベースケース81に取り付けられる表示フィルム83を有している。
【００３８】
ベースケース81は、略長方形の板部材の周囲に縁部を形成した薄型箱状のケースであり、縁部に囲まれた凹部に導光板収納部84が形成されている。そして、ベースケース81の上縁部外側には、本体ベース50の背面側に設けられたバックライト固定部59Aに固定するための取り付け部81Aが設けられている。一方、ベースケース81の下縁部内側にはＬＥＤ素子86を搭載したＬＥＤ基板が複数個設けられており、下縁部内側には、バックライトユニット80を本体ベース50に取り付ける際にバックライトユニット80を支持するための脚部81B及び垂下突起81Cが設けられている。さらに、前記板収納部84の上側であって縁部に囲まれた凹部の中央部には、ボス85が形成されているとともに、ボス85の両側には、上方に向かって爪部を有する二個の係止爪81a,81aが間隔をあけて設けられている。また、前記導光板収納部84の下端部であって、前記係止爪81a,81aの下方には、下側に向かって爪部を有する二個の係止爪81b,81bが間隔をあけて設けられている。
【００３９】
ここで、前記脚部81Bは、図１８に示すように、本体ベース50に収納固定したスピーカボックス70のバックライト支持部70Dに上側から引っ掛けることができるようになっており、前記垂下突起81Cは、図１９に示すように、バックライトユニット80を本体ベース50に装着したときに、バックライト支持部59Dにより下方から支持されるようになっている。
前記導光板82は、導光板収納部84に収納される薄板状の透光部材であって、設置時における下端面からの入光を正面側に拡散させることができるように形成されている。例えば、特に図示しないが、背面側に凹凸を形成して下端面からの光線を正面側に反射させるようになっている。そして、導光板82を導光板収納部84に収納設置すると、図１９に示すように、その下端面がベースケース81に設けられたＬＥＤ素子86の上側に位置するようになっている。
【００４０】
前記表示フィルム83は、図９に示すように、ベースケース81の正面側を覆うように取り付けられる透光性を有するフィルムであって、特に図示しないが、表面にはキャラクターの絵などが印刷されている。また、図１７に示すように、表示フィルム83の中央上端部には、前記ボス85を挿入可能な位置決め孔87が形成されており、この位置決め孔87の両側には、ベースケース81の係止爪81a,81aと係合可能な長孔である係止孔83a,83aが設けられている。また、表示フィルム83の下端部には、ベースケース81の係止爪81b,81bと係合可能な長孔である係止孔83b,83bが設けられている。
そして、表示フィルム83は、係止爪81a,81aと係止孔83a,83a、係止爪81b,81bと係止孔83b,83bの係合により、ベースケース81に固定されるものである。表示フィルム83をベースケース81に取り付ける際には、前記ボス85を位置決め孔87に挿入させることにより、前記係止爪81a,81bと係止孔83a,83bの位置を合致させることができるので、容易に取り付けを行うことができるものである。
【００４１】
バックライトユニット80は、ベースケース81に導光板82を収納した状態で、ＬＥＤ素子86を発光させると、導光板82の正面側が発光し、表示フィルム83がこの光を透過して、表示フィルム83の表面が発光して見える。すなわち、導光板82と表示フィルム83により、バックライトユニット80の発光面88が形成されることとなる。
また、バックライトユニット80を本体ベース50に装着する場合には、図１８に示すように、脚部81Bをスピーカボックス70のバックライト支持部70Dに引っ掛けてから、バックライト支持部70Dを支点として上部を回動させ、固定部81Aとバックライト固定部59Aを合致させて、背面側からネジ止めする。
【００４２】
バックライトユニット80を用いた演出の具体例としては、例えば通常時にはＬＥＤ素子86をすべて発光させて発光面88を点灯状態にしておき、遊技中の所定時にＬＥＤ素子86をすべて消灯して発光面88の全体を消灯状態にさせたり、あるいは複数あるＬＥＤ素子86を交互に又は順次点灯点滅させて、発光面88の一部を点灯状態とさせたり、発光面88が端から徐々に点灯又は消灯状態となっていくような表示を行うことにより、当選や入賞を報知することができる。
（上扉装飾体６の着脱）
上記構成を有する上扉装飾体６を上扉30の扉枠32に取り付ける場合には、ランプカバー92,93及び正面カバー58を取り付けた本体カバー50に、回転灯ユニット60、スピーカボックス70を固定し、その後、バックライトユニット80を取り付ける。そして、扉枠32の正面側に上扉装飾体６を位置させ、扉枠32の装飾体取り付け部32Aと本体カバー50の扉枠固定部59F、装飾体取り付け部32Bと扉枠固定部59G（図３及び図１０参照）をそれぞれ合致させて、扉枠32の背面側からネジで固定する。上扉装飾体６を取り外す場合には、扉枠32の背面側からネジを外せばよい。
【００４３】
そして上扉装飾体６は、搭載されている各演出用ユニットによる演出表示を組み合わせて、種々の報知演出が可能である。すなわち、回転灯ユニット60の点灯点滅、バックライトユニット80の点灯点滅に、電飾体90の点灯点滅やスピーカ装置35からの音声出力を適宜組み合わせて、信頼度や期待度の異なる当選報知を行うことができるものである。
（回転灯ユニット60の電球交換）
ところで、本実施の形態に係る上扉装飾体６においては、回転灯ユニット60が電球切れした場合、上扉装飾体６の本体ベース50を扉枠32に固定したままで、電球65を取り替えることができるようになっている。以下、電球交換の手順を説明する。
【００４４】
まず、上扉30を開いて、扉枠32の上側両端部に形成された開口部32C（図３参照）に、扉枠32の裏側からドライバを差し込んで、ランプカバー92を固定しているネジＰ（図８、図１４参照）を外す。これによりランプカバー92の固定が解除され、ランプカバー92を本体ベース50から取り外すことができる。そして、ランプカバー92を二つとも取り外すと、正面カバー58を固定している二つのネジＱ（図７、図８参照）が表出する。
次に、表出したネジＱを正面側から外して正面カバー58の固定を解除し、正面カバー58を取り外す。正面カバー58が取り外されると、図８に示すように、本体ベース50の前面側が解放されて、空間部51の内部に収まっている回転灯ユニット60のレンズ63に正面側から触れることができるようになる。
【００４５】
そこで、レンズ63をネジ部62B及び63A（図１２参照）の螺合が解除される方向に回転させ、つなぎ部62からレンズ63を取り外すと、電球65及び回転反射板64が露出する。ここで、電球65が回転反射板64の反射鏡64Aに隠れている場合には、回転反射板64を適宜回転させて、反射鏡64Aの凹面が正面側を向くようにする（駆動モータ68がロックされていなければ反射鏡64Aは手動でも回転する）。そして電球65を、螺合が解除される方向に回転させ、ソケット67から取り外す。電球65を新しいものと交換した後は、上記手順を逆に行い、取り外した部品を取り付ければよい。
このように、回転灯ユニット60をユニットごと交換することなく、電球65のみ交換ができるので、大幅に経費節減を図ることができる。また、ランプカバー92を取り外しさえすれば、後の作業は上扉30を閉めて正面側から行うことができるので、作業がしやすく、作業者への負担も軽減できる。さらに、メンテナンス時に長時間上扉30を開放したままにしなくてよいので、内部の制御基板等への埃などによる悪影響も少なくなる。
【００４６】
なお、本実施の形態によれば、上扉装飾体６を上扉30に装着したまま、電球65だけでなく、レンズ63を取り替えることもできる。例えば、赤色のレンズ63を青色のレンズ63に取り替えることにより、上扉装飾体６による演出表示のイメージを変えることができる。
以上のように、本実施の形態によれば、従来のスロットマシンにない立体的な演出を行うことができる演出装飾装置を提供でき、遊技の興趣を高めることができるものである。また、上扉30の扉枠32に上扉装飾体６を取り付ける構造としてあるので、機種交換の際、上扉30を筐体１に残しておいたままでも、上扉装飾体６を交換するだけで全く異なる機種のスロットマシンに変貌させることができ、リサイクル及び機種交換に要するコスト削減に効果的である。
【００４７】
さらに、本体ベース50に取り付けられる各演出用ユニットは、取り付け部を共通化しておけば、全く異なる種類の演出用ユニットに交換することもできるので、本体ベース50自体は何度も再利用ができるとともに、各演出ユニットの再利用も容易となる。そして、上述したように、比較的頻繁に発生しやすい回転灯ユニット60の電球切れに対して、容易かつ迅速に対応することができ、メンテナンス容易であるとともに、コストダウン及び資源の有効利用に役立つものである。
なお、上記実施の形態では、前面カバー58を透明な部材で形成してあったが、これを例えばハーフミラーで形成し、バックライトユニット80の発光面88を点灯させた場合や回転灯ユニット60を点灯させた場合のみ、空間部51の内部が視認できるように形成してもよいものである。
【００４８】
また、上記実施の形態では、導光板82を面発光させるバックライトユニット80を用いたが、回転灯ユニット60の背面側の表示部としては、特に図示しないが、液晶表示装置や、電球等の発光体を搭載した電飾板を用いてもよい。
本発明はスロットマシン以外の遊技機にも応用できるものである。また、演出用装飾体の態様は、上述したものに限られず、種々の演出用ユニットや役物を組み合わせて、様々な態様で実施可能であることはいうまでもない。
【図面の簡単な説明】
【００４９】
【図１】本発明の実施の形態であって、スロットマシンの外観斜視図である。
【図２】本発明の実施の形態であって、前扉を開いたスロットマシンの斜視図である。
【図３】本発明の実施の形態であって、上扉装飾体を取り外した上扉の斜視図である。
【図４】本発明の実施の形態であって、上扉装飾体の正面図である。
【図５】本発明の実施の形態であって、図４のＡ−Ａ線断面図である。
【図６】本発明の実施の形態であって、図４のＢ−Ｂ線断面図である。
【図７】本発明の実施の形態であって、図４のＣ−Ｃ断面図である。
【図８】本発明の実施の形態であって、上扉装飾体の正面カバーを取り外した上扉の斜視図である。
【図９】本発明の実施の形態であって、上扉装飾体の分解斜視図である。
【図１０】本発明の実施の形態であって、上扉装飾体の本体ベースの背面図である。
【図１１】本発明の実施の形態であって、回転灯ユニットの外観斜視図である。
【図１２】本発明の実施の形態であって、回転灯ユニットの分解斜視図である。
【図１３】本発明の実施の形態であって、回転灯ユニットの断面図である。
【図１４】本発明の実施の形態であって、回転灯ユニットの取り付けを示す図である。
【図１５】本発明の実施の形態であって、スピーカボックスの斜視図である。
【図１６】本発明の実施の形態であって、スピーカボックスの取り付けを示す図である。
【図１７】本発明の実施の形態であって、バックライトユニットの分解斜視図である。
【図１８】本発明の実施の形態であって、バックライトユニットの取り付けを示す図である。
【図１９】本発明の実施の形態であって、バックライトユニットの中央縦断面図である。
【符号の説明】
【００５０】
Ｓ  スロットマシン（遊技機）
１  筐体                            ２  リールユニット
３  前扉                            ４  電源ユニット
５  ホッパーユニット                ６  上扉装飾体
11  開口部                          12  中板
13  開口上部                        14  開口下部
15  底板                            16  側板
17  天板                            18  裏板
19  ヒンジ                          20  回転リール
30  上扉                            31  上パネル
32  扉枠                           32A  開口部（貫通開口）
35  スピーカ装置
40  下扉                            41  操作部
42  メダル投入口                    43  ベットスイッチ
44  スタートスイッチ                45  ストップスイッチ
46  メダル皿                        47  下パネル
48  メダルセレクター
50  本体ベース（ベース部材）       50A  庇部
50B  底部突起                       50C  固定枠
51  空間部                          52  凹部
53  スピーカボックス収納部          54  ステージ部
55  電飾体取り付け部                56  ランプカバー固定部（覆い体固定部）
57  正面カバー固定部（カバー固定部）58  正面カバー（カバー部材）
59  背面固定部
60  回転灯ユニット（回転灯装置）    61  本体ケース（本体部）
62  つなぎ部                        63  レンズ（防風部）
64  回転反射板                      65  電球（光源）
66  反射板固定部                    67  ソケット
68  駆動モータ                      69  支持部材
70  スピーカボックス                71  グリル面
72  本体箱                          73  背面板
74  音通孔                          75  上面
76  上面開口
80  バックライトユニット            81  ベースケース
82  導光板                          83  表示フィルム
84  導光板収納部                    85  ボス
86  ＬＥＤ素子                      87  位置決め孔
88  発光面
90  電飾体                          91  発光体
92  ランプカバー（覆い体）          93  ランプカバー
【図１】
2008029457.tif 000003
【図２】
2008029457.tif 000004
【図３】
2008029457.tif 000005
【図４】
2008029457.tif 000006
【図５】
2008029457.tif 000007
【図６】
2008029457.tif 000008
【図７】
2008029457.tif 000009
【図８】
2008029457.tif 000010
【図９】
2008029457.tif 000011
【図１０】
2008029457.tif 000012
【図１１】
2008029457.tif 000013
【図１２】
2008029457.tif 000014
【図１３】
2008029457.tif 000015
【図１４】
2008029457.tif 000016
【図１５】
2008029457.tif 000017
【図１６】
2008029457.tif 000018
【図１７】
2008029457.tif 000019
【図１８】
2008029457.tif 000020
【図１９】
2008029457.tif 000021